【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】  アンテナ・アレイ中の第１アンテナで、その第１アンテナの送信用のチャネルを通して第１信号を送信するステップと、
前記アンテナ・アレイ中の第２アンテナで前記第１信号を受信するステップと、
前記第２アンテナが第２信号を送信するステップと、
前記第１アンテナの受信用のチャネルを通して前記第２信号を受信するステップと、
伝達関数において、前記第１信号と第２信号の特性を捕捉するステップと、
送信用チャネルの伝達関数と受信用チャネルの伝達関数に少なくとも一部は基づいて、前記第１アンテナの構成係数を決定するステップと
を有する方法。
【請求項２】  送信用チャネルの伝達関数と受信用チャネルの伝達関数に少なくとも一部は基づいて、前記第１アンテナの構成係数を決定する前記ステップが、前記送信用チャネルの伝達関数と受信用チャネルの伝達関数の間の位相差に少なくとも一部は基づいて前記較正係数を決定する請求項１記載の方法。
【請求項３】  送信用チャネルの伝達関数と受信用チャネルの伝達関数に少なくとも一部は基づいて、前記第１アンテナの構成係数を決定する前記ステップが、受信用チャネルの伝達関数に対する送信用チャネルの伝達関数の比に少なくとも一部は基づいて前記較正係数を決定することを含む請求項１記載の方法。
【請求項４】  前記第１アンテナを基準アンテナとして指定するステップと、
その基準アンテナに相関して前記第２アンテナの較正係数を決定するステップとをさらに含む請求項１記載の方法。
【請求項５】  基準アンテナに相関して第２アンテナの較正係数を決定する前記ステップが、前記第２アンテナの較正係数として、前記第１信号と第２信号の間の位相差を決定することを含む請求項４記載の方法。
【請求項６】  基準アンテナに相関して第２アンテナの較正係数を決定する前記ステップが、前記第１信号の前記第２信号に対する比を決定することを含む請求項４記載の方法。
【請求項７】  送信用チャネルと受信用チャネルとを有するアンテナで加入者装置からアップリンク信号を受信するステップと、
少なくとも一部はアップリンク信号に基づいてアンテナの受信重みを決定するステップと、
送信用チャネル伝達関数と受信用チャネル伝達関数に少なくとも一部は基づいてアンテナの較正係数を決定するステップと、
アンテナの送信重みを生成するために較正係数を受信重みに適用するステップと、
アンテナから加入者装置へのダウンリンク信号に送信重みを適用するステップと、
その重み付けされた信号を加入者装置に送信するステップと
を有する方法。
【請求項８】  送信用チャネル伝達関数と受信用チャネル伝達関数に少なくとも一部は基づいてアンテナの較正係数を決定する前記ステップが、
アンテナアレイの第１アンテナによって、そのアンテナの送信用チャネルを通して第１信号を送信するステップと、
その第１信号を前記アンテナアレイの第２アンテナで受信するステップと、
前記第２アンテナによって第２信号を送信するステップと、
その第２信号を前記第１アンテナの受信用チャネルを通して前記第１アンテナによって受信するステップと、
前記第１信号と第２信号の特性を伝達関数において捕獲するステップと、
送信用チャネルの伝達関数と受信用チャネルの伝達関数の間の位相差に少なくとも一部は基づいてアンテナの較正係数を決定するステップと
を有する請求項７記載の方法。
【請求項９】  送信用チャネル伝達関数と受信用チャネル伝達関数に少なくとも一部は基づいてアンテナの較正係数を決定する前記ステップが、
アンテナアレイの第１アンテナによって、そのアンテナの送信用チャネルを通して第１信号を送信するステップと、
その第１信号を前記アンテナアレイの第２アンテナで受信するステップと、
前記第２アンテナによって第２信号を送信するステップと、
その第２信号を前記第１アンテナの受信用チャネルを通して前記第１アンテナによって受信するステップと、
前記第１信号と第２信号の特性を伝達関数において捕獲するステップと、
受信用チャネルの伝達関数の送信用チャネルの伝達関数に対する比に少なくとも一部は基づいてアンテナの較正係数を決定するステップと
を有する請求項７記載の方法。
【請求項１０】  前記第１アンテナを基準アンテナとして指定するステップと、
その基準アンテナに相関して前記第２アンテナの較正係数を決定するステップとをさらに含む請求項８記載の方法。
【請求項１１】  基準アンテナに相関して第２アンテナの較正係数を決定する前記ステップが、第２較正係数として前記第１と第２信号の間の位相差を決定するステップを含む請求項１０記載の方法。
【請求項１２】  第１アンテナを基準アンテナとして指定するステップと、
その基準アンテナに相関して、前記第２アンテナの較正係数を決定するステップとをさらに含む請求項９記載の方法。
【請求項１３】  基準アンテナに対して第２アンテナの較正係数を決定する前記ステップが、第２較正係数として、前記第１信号の前記第２信号に対する比を決定するステップを有する請求項１２記載の方法。
【請求項１４】  複数のアンテナを有するアンテナアレイと、
第１信号を前記アンテナアレイの他のアンテナへ送るための各アンテナ用の送信用チャネルと、
第２信号を前記アンテナアレイの他のアンテナから受信するための各アンテナ用の受信用チャネルと、
前記受信アンテナに接続され、前記第２信号を記憶するメモリと、
そのメモリに接続され、前記各アンテナの較正係数であって、前記送信用チャネルの伝達関数と受信用チャネルの伝達関数に少なくもと一部が基づいている較正係数を決定する信号処理装置と
を含む通信局。
【請求項１５】  各アンテナの較正係数であって、送信用チャネルの伝達関数と受信用チャネルの伝達関数に少なくもと一部が基づいている較正係数を決定する前記信号処理装置が、前記送信用チャネルの伝達関数と受信用チャネルの伝達関数の間の位相差に少なくとも一部は基づいて前記較正係数を決定する信号処理装置を含む請求項１４記載の通信局。
【請求項１６】  各アンテナの較正係数であって、送信用チャネルの伝達関数と受信用チャネルの伝達関数に少なくもと一部が基づいている較正係数を決定する前記信号処理装置が、前記受信用チャネルの伝達関数に対する前記送信用チャネルの伝達関数の比に少なくとも一部は基づいて前記較正係数を決定する信号処理装置を含む請求項１４記載の通信局。
【請求項１７】  前記第１アンテナが基準アンテナとして指定され、その基準アンテナに相関して前記第２アンテナの較正係数を決定する信号処理装置をさらに含む請求項１４記載の通信局。
【請求項１８】  前記基準アンテナに相関して前記第２アンテナの較正係数を決定する信号処理装置が、前記第１信号と第２信号の間の位相差を前記第２アンテナの較正係数として決定する信号処理装置を含む請求項１７記載の通信局。
【請求項１９】  前記基準アンテナに相関して前記第２アンテナの較正係数を決定する信号処理装置が、前記第１信号の前記第２信号に対する比を前記第２信号の較正係数として決定する信号処理装置を含む請求項１７記載の通信局。
【請求項２０】  アンテナアレイの４つのアンテナによって、それぞれのアンテナの受信用チャネルを介して遠隔装置からアップリンク信号を受信するステップと、
前記４つのアンテナから送られた信号に基づいてそれらのアンテナの較正係数を決定するステップと、
前記各アンテナの較正係数を、前記各アンテナのダウンリンク信号に適用するステップと、
前記各アンテナの送信用チャネルを介して遠隔装置に前記各アンテナのダウンリンク信号を送信するステップと
を有する方法。
【請求項２１】  ４つのアンテナから送られた信号に基づいてそれらのアンテナの較正係数を決定する前記ステップが、
前記４つのアンテナの第１アンテナだけが、そのアンテナの送信用チャネルを介して第１信号を、前記４つのアンテナの第２アンテナに、前記４つのアンテナの第３アンテナに、前記４つのアンテナの第４アンテナに送信するステップと、
前記４つのアンテナの第１アンテナだけが、そのアンテナの受信チャネルを介して第２信号を、前記４つのアンテナの第２アンテナから、前記４つのアンテナの第３アンテナから、前記４つのアンテナの第４アンテナから受信するステップと、
前記第１と第２アンテナの間、前記第１と第３アンテナの間、前記第１と第４アンテナの間にデュプレックス・パスを形成させるステップと、
前記第１アンテナを、第１較正係数値が１である基準アンテナとして指定するステップと、
前記第２アンテナの第２較正係数となる第１の比である、第１信号に対する第２信号の第１の比を決定するステップと、
前記第３アンテナの第３較正係数となる第２の比である、第１信号に対する第３信号の第２の比を決定するステップと、
前記第４アンテナの第４較正係数となる第３の比である、第１信号に対する第４信号の第３の比を決定するステップと
有する請求項２０記載の方法。
【請求項２２】  前記各アンテナの較正係数を、前記各アンテナのダウンリンク信号に適用するステップが、
前記各アンテナに対するアップリンク信号に少なくとも一部が基づいて前記各アンテナのアップリンク重みを決定するステップと、
前記各アンテナの較正係数と前記各アンテナのアップリンク重みに基づいて前記各アンテナの送信重みを生成するステップと、
前記各アンテナの送信重みを前記各アンテナのダウンリンク信号に適用するステップと
を有する請求項２０記載の方法。
【請求項２３】  前記４つのアンテナの第１アンテナだけが、そのアンテナの送信用チャネルを介して第１信号を、前記４つのアンテナの第２アンテナに、前記４つのアンテナの第３アンテナに、前記４つのアンテナの第４アンテナに送信するステップが、前記４つのアンテナの第１アンテナだけが、そのアンテナの送信用チャネルを介してＳＹＮＣＨバーストを、前記４つのアンテナの第２アンテナに、前記４つのアンテナの第３アンテナに、前記４つのアンテナの第４アンテナに送信するステップを含む請求項２１記載の方法。
【請求項２４】  前記４つのアンテナの第２アンテナが、そのアンテナの送信用チャネルを介して信号を前記４つのアンテナの残りのアンテナに送信するステップと、
前記第２アンテナが、そのアンテナの受信用チャネルを介して前記残りのアンテナのそれぞれから異なる信号を受信するステップと、
前記第２アンテナが前記残りのアンテナからの異なる信号を受信した結果として、その第２アンテナと残りのアンテナそれぞれとの間にデュプレックス・パスを形成するステップと、
前記第２アンテナを較正係数値が１である基準アンテナとして指定するステップと、
それぞれが前記異なる信号を送信した前記残りのアンテナの較正係数である比である、前記信号の前記異なる信号に対する比を決定するステップと
を有する請求項２１記載の方法。